(57)【特許請求の範囲】
【請求項１】
軒樋吊り具本体の両端部に軒樋の両側上端部に設けた耳部を嵌め込み支持するための略コ字状をした耳部支持部を設けると共に、軒樋吊り具本体に先端が上記耳部支持部に嵌め込まれる軒樋の耳部の内面側に対向する弾性を有する外れ防止片を設けた軒樋吊り具であって、上記外れ防止片の先端部に上方にＬ状に屈曲したＬ状屈曲片部を設け、該Ｌ状屈曲片部のコーナ部分の一部に耳部支持部側に向けて突出する突起を設け、上記Ｌ状屈曲片部の上向き片を上にいくほど上記耳部支持部側に位置するように斜め上方に向けて傾斜させると共に上記上向き片を平面視で中央部ほど上記耳部支持部側に突出した弧状に形成し、平面視で、上記突起の先端よりも該突起に対応する上記上向き片の上端縁の部位が上記耳部支持部側に突出していることを特徴とする軒樋吊り具。
【請求項２】
平面視で上記突起の突出先端部の両側のコーナ部分をアール形状にして成ることを特徴とする請求項１記載の軒樋吊り具。
【発明の詳細な説明】
【技術分野】
【０００１】
本発明は、軒樋の耳部を嵌め込んで支持するための耳部支持部を備えた軒樋吊り具に関するものである。
【背景技術】
【０００２】
従来から、軒樋の耳部を嵌め込んで支持するための耳部支持部を備えた軒樋吊り具が知られている。
【０００３】
従来の軒樋吊り具６は、その主体が帯状の金属板を折り曲げ加工することで形成してある。
【０００４】
この従来の軒樋吊り具６は、軒樋吊り具本体１の両端部に軒樋２の両側上端部に設けた耳部３を嵌め込み支持するための略コ字状をした耳部支持部４を設けると共に、軒樋吊り具本体１に先端が上記耳部支持部４に嵌め込まれる軒樋２の耳部３の内面側に対向する弾性を有する外れ防止片５を設けて構成してある。
【０００５】
外れ防止片５は一般に図５に示すようにフラットな平板状で、このため、図５から図６（ａ）のように、略コ字状をした耳部支持部４の下横片部の先端部と外れ防止片５の先端部との間の小隙間から軒樋２の耳部３を押し込んで耳部を耳部支持部４に嵌め込み支持した場合、図６（ｂ）のように外れ防止片５が斜め上方を向くように塑性変形して元に戻らない場合が生じる。このように、外れ防止片５が斜め上方を向くように塑性変形して元に戻らないと、略コ字状をした耳部支持部４に耳部３を嵌め込み支持した軒樋２の内面と、外れ防止片５の先端との間の隙間が大きくなり、強風などで軒樋２の耳部３が耳部支持部４から外れるような外力が作用したりすると、大きくなった隙間から耳部３が外れてしまうというおそれがある。
【０００６】
また、この従来例にあっては、軒樋２がスライドする際に、平板状の外れ防止片５の先端縁のエッジ部が軒樋２の内面に当って、軒樋２がスムーズにスライドし難いという問題がある。
【０００７】
そこで、耳部支持部４に軒樋２の耳部３を嵌め込み支持した状態で、軒樋２のスライドがスムーズに行えるように、外れ防止片５の先端部を上方にＬ状に屈曲したＬ状屈曲片部７を設け、外れ防止片５の先端縁のＬ状屈曲片部７の上向き片９の外面を軒樋２の内面に対向させるようにしたものが特許文献１などにより知られている。
【０００８】
ところが、この従来例にあっては、Ｌ状屈曲片部７は金属板を曲げて形成してあるので、コーナ部分の縦断面がアール形状となっている。したがって、強風による力が軒樋２に外力が作用して、軒樋２の内面によりＬ状屈曲片部７が側方に押されると、上記Ｌ状屈曲片部７のコーナ部分のアール形状となった部分が軒樋２の内面を滑り上がって、外れ防止片５が図７の破線のように斜め上方に変形し、軒樋２の耳部３が耳部支持部４から外れ易くなるという問題がある。
【特許文献１】実開平７−２９１６３号公報
【発明の開示】
【発明が解決しようとする課題】
【０００９】
本発明は上記の従来の問題点に鑑みて発明したものであって、軒樋の耳部のスライド性がよく、しかも、強風が吹いても耳部支持部から耳部が外れ難い軒樋吊り具を提供することを課題とするものである。
【課題を解決するための手段】
【００１０】
上記課題を解決するために本発明に係る軒樋吊り具は、軒樋吊り具本体１の両端部に軒樋２の両側上端部に設けた耳部３を嵌め込み支持するための略コ字状をした耳部支持部４を設けると共に、軒樋吊り具本体１に先端が上記耳部支持部４に嵌め込まれる軒樋２の耳部３の内面側に対向する弾性を有する外れ防止片５を設けた軒樋吊り具６であって、上記外れ防止片５の先端部に上方にＬ状に屈曲したＬ状屈曲片部７を設け、該Ｌ状屈曲片部７のコーナ部分の一部に耳部支持部４側に向けて突出する突起８を設け、Ｌ状屈曲片部７の上向き片９を上にいくほど耳部支持部４側に位置するように斜め上方に向けて傾斜させると共に上向き片９を平面視で中央部ほど耳部支持部４側に突出した弧状に形成し、平面視で、突起８の先端よりも突起８に対応する上向き片９の上端縁の部位が耳部支持部４側に突出していることを特徴とするものである。
【００１１】
このような構成とすることで、外れ防止片５の先端部をＬ状屈曲片部７とすることで、耳部支持部４に軒樋２の耳部３が支持された状態で軒樋２がスライドする際、軒樋２内面に外れ防止片５の先端のエッジ部分が当らず、スムーズに軒樋２がスライドすることができる。特に、Ｌ状屈曲片部７の上向き片９を上にいくほど耳部支持部４側に位置するように斜め上方に向けて傾斜させると共に上向き片９を平面視で中央部ほど耳部支持部４側に突出した弧状に形成し、平面視で、突起８の先端よりも突起８に対応する上向き片９の上端縁の部位が耳部支持部４側に突出しているので、耳部支持部４に軒樋２の耳部３が支持された状態で軒樋２内面が平面視で弧状となった上向き片９にガイドされながらスライドすることになってスライド性がよくなり、しかも、この場合、軒樋２にスライドのための外力以外の外力が作用しない限り突起８が軒樋２の内面に当らず、よりいっそう、軒樋２のスライド性がよくなる。しかも、軒樋２に強風が作用して、軒樋２の内面でＬ状屈曲片部７が上向きに滑り上がって外れ防止片５が斜め上方に変形しようとしても、Ｌ状屈曲片部７が上向きに滑り上ると、突起８が軒樋２の内面に少し食い込むような状態となって、それ以上のＬ状屈曲片部７が上方への滑り上りを防止でき、耳部３が耳部支持部４から外れるのを防止することができる。
【００１４】
また、平面視で突起８の突出先端部の両側のコーナ部分をアール形状にしてあることが好ましい。
【００１５】
これにより軒樋２がスライドする際に、施工誤差、製造誤差等の誤差や、あるいは、外力が作用して、軒樋２の内面に突起８が当るような場合があっても、軒樋２内面が突起８の突出先端部の両側のアール形状となったコーナ部分にガイドされてスライドすることになって、スライド性が悪くならない。
【発明の効果】
【００１６】
本発明は、上記のように、外れ防止片の先端部に上方にＬ状に屈曲したＬ状屈曲片部を設け、該Ｌ状屈曲片部のコーナ部分の一部に耳部支持部側に向けて突出する突起を設け、Ｌ状屈曲片部の上向き片を上にいくほど耳部支持部側に位置するように斜め上方に向けて傾斜させると共に上向き片を平面視で中央部ほど耳部支持部側に突出した弧状に形成し、平面視で、突起の先端よりも突起に対応する上向き片の上端縁の部位が耳部支持部側に突出しているので、軒樋の耳部のスライド性がよく、しかも、強風が吹いても耳部支持部から耳部が外れ難いという利点がある。
【発明を実施するための最良の形態】
【００１７】
以下、本発明を添付図面に示す実施形態に基いて説明する。
【００１８】
軒樋吊り具４の主体を構成する軒樋吊り具本体１は、帯状の金属板をプレスにより折り曲げ加工して形成してある。図１に示すように、軒樋吊り具本体１は、長手方向の中央片部１０の両端部がそれぞれ上斜め外方に向けて突出した傾斜片部１１となり、両傾斜片部１１の先端部に略コ字状をした耳部支持部４を形成してある。
【００１９】
また、両耳部支持部４のうち一方の耳部支持部４の下横片部１２の先端に対応する部位から下方に向けて案内片１３が一体に折り曲げて形成してある。
【００２０】
上記の構成の軒樋吊り具本体１の中央片部１０の中央部には吊りボルト１５の下端部がナット１６により固着してある。
【００２１】
また、軒樋吊り具本体１の中央片部１０の下面部の両端部にはそれぞれ弾性を有する外れ防止片５の後端部が固着具１８により固着してある。
【００２２】
外れ防止片５は図４に示すようなもので弾性を有する帯状金属板により形成してあり、先端部を上方にＬ状に屈曲したＬ状屈曲片部７を設けてあり、該Ｌ状屈曲片部７のコーナ部分の一部に耳部支持部４側に向けて突出する突起８が設けてある。
【００２３】
突起８は、Ｌ状屈曲片部７のコーナ部分の巾方向に２箇所に設けてあり、コーナ部分の一部を切り起こすことで突起８を形成してある。また、平面視で突起８の突出先端部の両側のコーナ部分をアール形状にしてあってコーナアール部１９となっている。
【００２４】
Ｌ状屈曲片部７の上向き片９は、平面視で中央部ほど耳部支持部４側に突出した弧状に形成してあり、更に、図３の実線で示すように上方にいくほど耳部支持部４側に位置するように斜め上方に向けて傾斜している。
【００２５】
ここで、平面視で、突起８の先端よりも該突起８に対応する上向き片９の上端縁の部位が耳部支持部４側にずれて位置している。
【００２６】
また、外れ防止片５の後部にはより弾性変形しやすいように半円状をした屈曲部２０が設けてある。
【００２７】
上記の構成の軒樋吊り具４は軒樋２を建物の屋根の軒先に吊り下げ支持するために用いられる。特に、大型軒樋を吊り下げ支持するために用いられる。
【００２８】
本発明の軒樋吊り具４で吊り下げ支持する軒樋２は上方が開口する断面略Ｕ字状をしており、両側片の上端部にそれぞれ耳部３を設けて構成してある（図の実施形態では両側片の上端に外側方に突出する耳部３を設けて構成してある）。
【００２９】
施工に当っては、上記軒樋吊り具４の吊りボルト１５を建物の屋根の軒先（例えば折版屋根の端部）に取付け、軒樋２の一側部の耳部３を軒樋吊り具４の一方の略コ字状をした耳部支持部４の下横片部１２の先端部と弾性を有する外れ防止片５の先端部との間から押し込み、外れ防止片５を変形させることで、該一側部の耳部３を略コ字状をした耳部支持部４内に嵌め込む。
【００３０】
次に、軒樋２の他側部の耳部３を軒樋吊り具４の他方の略コ字状をした耳部支持部４の下横片部１２の先端部の下方に垂設した案内片１３に沿って上方に押し上げて、弾性を有する他方の外れ防止片５を上方に変形させながら該外れ防止片５の先端部と耳部支持部４の下横片部１２の先端部との間の小隙間から上方に押し込んで、該他側部の耳部３を略コ字状をした他の耳部支持部４内に嵌め込む。
【００３１】
このようにして両耳部支持部４内に軒樋２の両耳部３が嵌め込み支持されることで、軒樋２が軒樋吊り具４に吊り下げ支持されることになる。
【００３２】
ところで、施工後に強風が吹いて軒樋２が図３の実線の位置から破線の位置へと押されるように変形することがある。この場合、最初は外れ防止片５の上向き片９が軒樋２の内面に押され、上向き片９が軒樋２の内面を上滑しながら斜めに傾斜していき、あるところまで上滑りすると突起８の先端が軒樋２の内面に当たり、突起８の先端が軒樋２の内面に当たった状態で更に軒樋２が強風で押されると、突起８の先端が軒樋２の内面に少し食い込むようになって外れ防止片５のそれ以上の変形がなくなり、軒樋２が軒樋吊り具４から外れるのが防止されることになる。
【００３３】
また、施工の際に軒樋２をスライドする際、あるいは、施工後の軒樋２の伸縮により軒樋２がスライドする際、外れ防止片５の先端部をＬ状屈曲片部７とすることで、耳部支持部４に軒樋２の耳部３が支持された状態で軒樋２がスライドする際、軒樋２内面に外れ防止片５の先端のエッジ部分が当らず、スムーズに軒樋２がスライドすることができる。この場合、更に、上向き片９を平面視で中央部ほど耳部支持部４側に突出した弧状に形成し、平面視で、突起８の先端よりも該突起８に対応する上向き片９の上端縁の部位が耳部支持部４側に突出しているので、耳部支持部４に軒樋２の耳部３が支持された状態で軒樋２内面が平面視で弧状となった上向き片９にガイドされながらスライドすることになってスライド性がよくなり、しかも、この場合、軒樋２にスライドのための外力以外の外力が作用しない限り突起８が軒樋２の内面に当らず、よりいっそう、軒樋２のスライド性がよくなる。
【００３４】
また、軒樋２がスライドする際に、施工誤差、製造誤差等の誤差や、あるいは、外力が作用して、軒樋２の内面に突起８が当るような場合があっても、平面視で突起８の突出先端部の両側のコーナ部分をアール形状にしてあるので、軒樋２内面が突起８の突出先端部の両側のアール形状となったコーナ部分にガイドされてスライドすることになって、スライド性が悪くならない。
【図面の簡単な説明】
【００３５】
【図１】（ａ）は本発明の軒樋吊り具に軒樋を吊り下げ支持している状態の正面図であり、（ｂ）は軒樋吊り具の平面図である。
【図２】同上の外れ防止片部分の拡大斜視図である。
【図３】同上の外れ防止片部分の作用を示す作用説明図である。
【図４】同上に用いる外れ防止片を示し、（ａ）は正面図であり、（ｂ）は平面図であり、（ｃ）は（ａ）の矢印イ方向から見た図である。
【図５】従来例の軒樋吊り具の耳部支持部に軒樋の耳部を嵌め込む前の状態の正面図である。
【図６】（ａ）は同上の従来例の耳部支持部に軒樋の耳部を嵌め込んだ際に外れ防止片が塑性変形した例を示す正面図であり、（ｂ）は同上の拡大正面図である。
【図７】他の従来例の外れ防止片の作用を示す作用説明図である。
【符号の説明】
【００３６】
１  軒樋吊り具本体
２  軒樋
３  耳部
４  耳部支持部
５  外れ防止片
６  軒樋吊り具
７  Ｌ状屈曲片部
８  突起
９  上向き片
【図１】
0004500339.tif 000002
【図２】
0004500339.tif 000003
【図３】
0004500339.tif 000004
【図４】
0004500339.tif 000005
【図５】
0004500339.tif 000006
【図６】
0004500339.tif 000007
【図７】
0004500339.tif 000008